(57)【要約】【課題】部品点数が少なく安価で、設置箇所が不陸である場合でも容易に施工できるとともに、太陽光利用パネルの設置高さや取り付け角度を調節しやすく、雨や風の影響を受けにくい太陽光利用パネルの取り付け具及び取り付け構造を提供する。【解決手段】水平状面に太陽光利用パネルを列設するための取り付け具１であって、地面に対して固定される固定部材２と、太陽光利用パネルを所定の高さに持ち上げるための支柱部材３と、固定部材２の上で摺動可能に着設されるとともに、支柱部材３を適当な位置で固定可能な調節部材４と、太陽光利用パネルを固定するための保持金具５と、保持金具５を固着するための横板部６ａと、支柱部材３上で上下に摺動可能に着設されるとともに、適当な高さで固定可能な縦板部６ｂからなるレベラー部材６を備える太陽光利用パネルの取り付け具１、及びこれを用いた取り付け構造を提供する。【選択図】図１
2016014244.tif 000002
【特許請求の範囲】
【請求項１】
水平状面に太陽光利用パネルを列設するための取り付け具であって、
地面に対して固定される固定部材と、
太陽光利用パネルを所要の高さに持ち上げるための支柱部材と、
固定部材の上で摺動可能に着設されるとともに、支柱部材を適当な位置で固定するための調節部材と、
太陽光利用パネルを固定するための保持金具と
保持金具を固着するための横板部と、支柱部材上で上下に摺動可能に着設されるとともに、適当な高さで固定可能な縦板部からなるレベラー部材を備えることを特徴とする太陽光利用パネルの取り付け具。
【請求項２】
レベラー部材の縦板部と横部材との角度が９５〜１２０°で固定されていることを特徴とする請求項１に記載の太陽光利用パネルの取り付け具。
【請求項３】
レベラー部材の縦板部と横板部との角度が可変であることを特徴とする請求項１に記載の太陽光利用パネルの取り付け具。
【請求項４】
基礎ブロックに請求項１乃至３のいずれか１項に記載の取り付け具の固定部材が固着され、当該取り付け具の保持金具で太陽光利用パネルの縁部が保持されていることを特徴とする太陽光利用パネルの取り付け構造。
【請求項５】
短い支柱部材を備える前側用取り付け具と、長い支柱部材を備える後側用取り付け具を用い、太陽光利用パネルが５〜３０°の傾斜状に保持されていることを特徴とする請求項４に記載の太陽光利用パネルの取り付け構造。
【請求項６】
基礎ブロックと取り付け具の間に、取り付け具を傾斜させて固着するための傾斜ブロックが介設されていることを特徴とする請求項５に記載の太陽光利用パネルの取り付け構造。
【発明の詳細な説明】
【技術分野】
【０００１】
本発明は太陽電池モジュール等の太陽光利用パネルを陸屋根や平地といった水平状面に固定するための太陽光利用パネルの取り付け具及び取り付け構造に関し、更に詳しくは、部品点数が少なく安価で、設置箇所が不陸である場合でも容易に施工できるとともに、太陽光利用パネルの設置高さや取り付け角度を調節しやすく、雨や風の影響を受けにくい太陽光利用パネルの取り付け具及び取り付け構造に関するものである。
【背景技術】
【０００２】
近年、化石燃料コストの上昇や世界的な環境意識の高揚により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上等に設置されている（これらのパネル状のユニットを総称して太陽光利用パネルと称する）。
【０００３】
このような太陽光利用パネルは、従来、山形の屋根の南側の斜面に設置されることが多かったので、斜面に適するような太陽光利用パネル及びその取り付け構造については多数商品化され、低コスト化も進んでいる。
一方、最近になって、二酸化炭素排出量の削減等のため、太陽光の利用が益々推奨されるようになり、陸屋根や平地など、水平状面への太陽光利用パネルの設置も徐々に多くなっている。しかしながら、水平状面に特に適する太陽光利用パネルの需要はそれほど多くないため、水平状面に太陽光利用パネルを設置する技術はあまり報告されておらず、また低コスト化も進んでいないのが実情である。
【０００４】
例えば、従来から陸屋根等の水平状面に太陽光利用パネルを設置するための構造としては、断面形状が直角三角形状の架台を設けて斜面を作り、山形の屋根に取り付ける場合と同様、この斜面上に太陽光利用パネルを取り付ける支持構造が用いられてきた。しかしながら、この方法では太陽光利用パネルを数枚連続して設置するため高くなりすぎ、これにより風を受ける面積が大きくなって受ける風圧も増大するので、その対策として、架台が設置される基盤に補強が必要になるうえ、架台にも風圧に耐えるだけの剛性を有する部材や補強材が必要になり、コストも高くなる。
【０００５】
そこで、本出願人は陸屋根や平地といった水平状面の低い位置に太陽光利用パネルを設置できる技術として、前側の太陽光利用パネルの上部枠を固定するための上側固定部と、後側の太陽光利用パネルの下部枠を固定するための下側固定部と、水平状面への接地部を一体的に設けた設置台（特許文献１参照）を提案している。この技術を利用すれば、太陽光利用パネルを低い位置に設置できるため、風圧による弊害がなく、従って基盤や架台の強度がそれほど要求されず、コストも低くなる。
【先行技術文献】
【特許文献】
【０００６】
【特許文献１】特開２０１１−９９２５６号公報
【発明の概要】
【発明が解決しようとする課題】
【０００７】
しかしながら、特許文献１の技術では、太陽光利用パネルの位置が低すぎて、パネル下の配線や配管を設置する工事が困難になる。また、設置箇所に不陸がある場合、レベル調整が困難である。また、雨が降れば水滴が跳ねて太陽光利用パネルの表面を汚し、発電効率を低下させることがある。さらに特許文献１の技術では太陽光利用パネルの設置角度が５°前後で固定されているので、気候条件によっては太陽光利用パネルの表面に降り積もった埃等が雨により自動的に洗い流せない場合があり、これも発電効率の低下を引き起こす原因となる。
本発明は、かかる実情に鑑み、上記従来技術の問題点を解決し、部品点数が少なく安価で、設置箇所が不陸である場合でも容易に施工できるとともに、雨や風の影響を受けにくい太陽光利用パネルの取り付け具及び取り付け構造を提供することを目的とする。
【課題を解決するための手段】
【０００８】
上記課題を解決するための本発明の特徴は、水平状面に太陽光利用パネルを列設するための取り付け具であって、地面に対して固定される固定部材と、太陽光利用パネルを所要の高さに持ち上げるための支柱部材と、固定部材の上に摺動可能に着設されるとともに、支柱部材を適当な位置で固定可能な調節部材と、太陽光利用パネルを固定するための保持金具と保持金具を固着するための横板部と、支柱部材上で上下に摺動可能に着設されるとともに、適当な高さで固定可能な縦板部からなるレベラー部材を備える太陽光利用パネルの取り付け具である。
【０００９】
本発明の別の特徴は、レベラー部材の縦板部と横部材との角度が９５〜１２０°で固定されている上記の太陽光利用パネルの取り付け具である。
【００１０】
本発明のさらに別の特徴は、レベラー部材の縦板部と横板部との角度が可変である上記の太陽光利用パネルの取り付け具である。
【００１１】
本発明のさらに別の特徴は、基礎ブロックに上記の取り付け具の固定部材が固着され、当該取り付け具の保持金具で太陽光利用パネルの縁部が保持されている太陽光利用パネルの取り付け構造である。
【００１２】
本発明のさらに別の特徴は、短い支柱部材を備える前側用取り付け具と、長い支柱部材を備える後側用取り付け具を用い、太陽光利用パネルが５〜３０°の傾斜状に保持されている上記の太陽光利用パネルの取り付け構造である。
【００１３】
本発明のさらに別の特徴は、基礎ブロックと取り付け具の間に、取り付け具を傾斜させて固着するための傾斜ブロックが介設されている上記の太陽光利用パネルの取り付け構造である。
【発明の効果】
【００１４】
本発明の太陽光利用パネルの取り付け具は、地面に対して固定される固定部材と、太陽光利用パネルを固定するための保持金具の間に支柱部材が設けられるので、この支柱部材により太陽光利用パネルを好適な高さまで持ち上げて、高すぎず且つ低すぎない位置に太陽光利用パネルを保持することができる。
また、支柱部材の位置を調節部材で調節できるとともに、保持金具の高さをレベラー部材により調節できるので、設置しようとする場所が不陸の場合でも、地面の凹凸に合わせて調節部材やレベラー部材を調節することにより、好適に太陽光利用パネルを設置することができる。
さらに、太陽光利用パネルを１枚づつ個別に設置し固定するため、設置高さは高くならず、風圧力等の荷重は小さくて済む。従って、基礎と架台の部材は低く抑えることができ、部品点数を少なく安価にすることができるとともに、運搬や保管も容易で工期も短縮できる。太陽光利用パネルが不要になった場合でも、撤去が簡単で元に戻しやすく、撤去した取り付け具等の再利用も可能で、しかも、撤去の際の廃材処理が不要である。従って、一時的に必要な期間だけ仮設することも可能で、緊急時にも対応できる。
【００１５】
レベラー部材の縦板部と横板部がなす角度を９５〜１２０°で固定すれば、５〜３０°の好ましい角度で、太陽光利用パネルを設置できる。また、レベラー部材の縦板部と横飯部をヒンジ構造を介して蝶着させれば、一種類のレベラー部材で太陽光利用パネルを任意の角度に設置できる。
【００１６】
上記の取り付け具を基礎ブロックに固着した状態で、当該取り付け具の保持金具で太陽光利用パネルの縁部を保持すれば、簡単な構造で容易に太陽光利用パネルを設置することができる。
この際に、短い支柱部材を備える前側用取り付け具と、長い支柱部材を備える後側用取り付け部を用いれば、太陽光利用パネルの設置角度を容易に５〜３０°の傾斜状に保持することができる。
【００１７】
基礎ブロックと取り付け具の間に傾斜ブロックを介設して、取り付け具を傾斜させて設ければ、太陽光利用パネルの設置角度を調節、変更する場合に支柱部材を動かす移動距離が短くなるので、調節が容易になる。
【図面の簡単な説明】
【００１８】
【図１】図１は本発明の太陽光利用パネル取り付け具の一例を示す概略斜視図である。
【図２】図２は図１の取り付け具の可動部分を示す概略説明断面図である。
【図３】図３は本発明の取り付け具で使用できる固定部材の一例であり、（ａ）はその平面図であり、（ｂ）は一部切欠き側面図である。
【図４】図４（ａ）は図３（ｂ）のＡ−Ａ断面図であり、（ｂ）はその底面図である。
【図５】図５は本発明で使用する支柱部材を示し、（ａ）は正面図であり、（ｂ）は平面図であり、（ｃ）は背面図であり、（ｄ）は後側用として使用可能な支柱部材を示す正面図である。
【図６】図６は本発明で使用できる調節部材を示し、（ａ）はその正面図、（ｂ）はその平面図、（ｃ）は調節部材を用いて固定部材に支柱部材を固定した状態を示す概略断面図である。
【図７】図７（ａ）は本発明で使用できる保持金具の一例を示す側面図であり、（ｂ）は保持金具の別例を示す側面図であり、（ｃ）は保持金具の更なる別例を示す側面図である。
【図８】図８は本発明で使用できるレベラー部材を示し、（ａ）はその正面図、（ｂ）はその平面図である。
【図９】図９（ａ）は図８に示したレベラー部材の側面図であり、（ｂ）はレベラー部材の別例を示す側面図である。
【図１０】図１０はレベラー部材の更なる別例を示す側面図である。
【図１１】図１１はレベラー部材を上下に摺動させた状態を示し、（ａ）はその正面図であり、（ｂ）はその側面図である。
【図１２】図１２は本発明の取り付け構造を示す概略平面図である。
【図１３】図１３は本発明の取り付け構造を示す概略側面図である。
【図１４】図１４は、本発明の取り付け構造の別例を示す概略側面図である。
【図１５】図１５は図１４における要部拡大断面図である。
【発明を実施するための形態】
【００１９】
本発明は水平状面に太陽光利用パネルを列設するための取り付け具であって、図１及び図２に示すように、地面に対して固定される固定部材２と、太陽光利用パネルを所定の高さに持ち上げるための支柱部材３と、固定部材２の上で摺動可能に着設されるとともに、支柱部材３を適当な位置で固定可能な調節部材４と、太陽光利用パネルを固定するための保持金具５と、保持金具５を固着するための横板部６ａと、支柱部材３上で上下に摺動可能に着設されるとともに、適当な高さで固定可能な縦板部６ｂからなるレベラー部材６を備えることを特徴とする。
また、本発明の太陽光利用パネルＰの取り付け構造１０は、図１２に示すように、基礎ブロック７に上記の取り付け具１が固着され、当該取り付け具１の保持金具５で太陽光利用パネルＰの縁部を保持することを特徴とする。
なお、本発明において水平状面とは、ビルの屋上といった陸屋根や地面等の実質的に水平状である面を指す。
【００２０】
本発明の太陽光利用パネルの取り付け具１は、図１及び図２に示されるように、固定部材２と、支柱部材３と、調節部材４と、保持金具５と、レベラー部材６を備える。
本発明における固定部材２は、後述の通り、基礎ブロックや傾斜ブロック等と固着されることにより地面に対して動かないように固定される部材であって、図２に示すように、支柱部材３及び調節部材４を摺動可能であるように設置するための部材である。
固定部材２の構成は、支柱部材３及び調節部材４を摺動可能に着設出来る限り特に限定されないが、特開２０１０−２４６６８号公報に固定部材２として詳述されている部材や、特開２０１２−２４６６９７号公報に固定部材２として詳述されている部材が、本発明の固定部材２として好適に使用できる。
【００２１】
なお、図１及び図２に記載した実施例における固定部材２は、図３及び図４に記載されているように、本体２ａと、本体の前後に取り付けられた前後板２ｂと、本体の下部に貼着された接着手段２ｃからなる。本体２ａは矩形の下部板２ａ１と、この下部板２ａ１の長辺側の端縁から立設された側板２ａ３と、２枚の側板２ａ３の内壁から対向するように横設された摺動板２ａ４と、該摺動板２ａ４の下にこの摺動板２ａ４と同様の態様で設けられた仮置き板２ａ５からなる。
前後板２ｂは本体２ａの前端及び後端を全部隠すように設けてもよいが、雨の際など、本体２ａの中に侵入した水分を排出するため、図３ｂに示すように、下端を空けて設けるのが好ましい。
接着手段２ｃは、ビス穴２ａ２により、固定部材２を後述の基礎ブロックや傾斜ブロック等と固着する際に、固定部材２を仮止めしてビスによる固定を容易にするか、または固定力を補強するためのものである。具体的な態様は特に限定されず、粘着剤や接着剤を固定部材２の裏面全体に塗布してもよいが、図４（ａ）（ｂ）に示すように、裏面の縁部に両面テープを貼り付けるようにすれば、容易に接着手段２ｃを設けることができ、且つ十分な接着力を得ることができる。
【００２２】
本発明における支柱部材３は、太陽光利用パネルを所定の高さに持ち上げるための部材である。その形状・構造は、所定の高さを有するとともに、後述の調節部材４やレベラー部材６を固着可能であり、且つ太陽光利用パネルＰを装着する妨げにならない限り特に限定されないが、具体的には、長板状、円柱状、半円柱状、角柱状、板状部材を断面Ｌ字状に折り曲げた形状（Ｌ柱状）、板状部材を断面コ字状に折り曲げた形状（コ柱状）等が例示できる。この中でも、コ柱状は穴加工や組み立てがしやすく、変形等がしにくいため、最も好ましい。
なお、図１、図２に示した実施例で使用されている支柱部材３は、コ柱状の長尺部材である（図５（ａ）〜（ｃ）参照）。この支柱部材３の上部には、後述のレベラー部材６を設置するための上部孔３ａが設けられ、下部には後述の調節部材４を固着するための下部孔３ｂが設けられている。
【００２３】
本発明において調節部材４とは、固定部材２の上で摺動可能に着設されるとともに、支柱部材３を固定部材２上に固定するための部材である。その形状・構造は、固定部材２の上で摺動可能であるともに、支柱部材３を固定部材２の上に固着できるかぎり特に限定されないが、図１、図２に示した実施例で使用されている調節部材４は、側面視略Ｌ字状の上部材４ａと、板状の下部材４ｂからなる（図６参照）。この調節部材４の上部材４ａには支柱部材３と固着されるためのビス孔４ａ１と、下部材４ｂに連結するためのネジ孔４ａ２が設けられている。この例では、図６（ｃ）に示されるように、上部材４ａと下部材４ｂがネジ４ｃで連結されるとともに、上部材４ａが支柱部材３の下部孔３ｂに固着される。上部材４ａと下部材４ｂの間には固定部材２の摺動板２ａ４が挟持されており、ネジ４ｃを締めると上部材４ａと下部材４ｂの間で摺動板２ａ４が締め付けられ、これにより調節部材４及び該調節部材４に固着された支柱部材３が固定部材２上に固定される。ネジ４ｃを緩めれば上部材４ａと下部材４ｂの間の狭圧がなくなって摺動板２ａ４が開放され、これにより調節部材４及び該調節部材４に固着された支柱部材３が固定部材２上で摺動可能になる。
【００２４】
本発明における保持金具５は、太陽光利用パネルＰを保持するための部材である。本発明において保持金具５は、単独で太陽光利用パネルＰを保持できるように構成してもよいが、図７に示すように、保持金具５と後述のレベラー部材６の間で太陽光利用パネルＰを挟持するように構成すれば、構造が単純で部品点数も少なく、安価に製造できる。
保持金具５の具体的な形状、構造は太陽光利用パネルＰの端部を保持できる限り、特に限定されない。図１及び図２に示した実施例においては、図７（ａ）に示すように、押圧部材５ａと厚み調整部材５ｂを取り付け棒５ｃに取り付け、押圧部材５ａで厚み調整部材５ｂと太陽光利用パネルＰの端部を両方を同時に押圧するように構成されている。このように構成すれば、厚さが異なる太陽光利用パネルであっても、厚み調整部材５ｂを換えることにより、同様の構成で好適に保持することができる。
なお、一定厚みの太陽光利用パネルＰだけを使用する場合、図７（ｂ）のように、厚み調整部材を使用せずに太陽光利用パネルＰを保持できるように構成してもよい。あるいは、図７（ｃ）のように、太陽光利用パネルＰに接続用の突起Ｐ１が設けられているような場合には、押圧部材５ａを接続用の突起Ｐ１と係合するような形状としてもよい。
【００２５】
本発明におけるレベラー部材６は、横板部６ａと縦板部６ｂからなる。これらのうち横板部６ａは上記の保持金具５を固着するための部分であるが、その形状、構造は保持金具５が固着できる限り、特に限定されない。図１及び図２に示した実施例における横板部６ａは、図８（ａ）に示すように、取り付け棒５ｃを挿通するための取り付け孔６ａ１が２つ穿設された板状部材である。
本発明で使用するレベラー部材６の縦板部６ｂは、支柱部材３上で上下に摺動可能に着設されるとともに、適当な高さで固定可能な部材であるが、その形状、構造は支柱部材３上で、必要に応じて摺動させることができ、必要に応じて固定することができる限り、特に限定されない。図１及び図２に示した実施例における縦板部６ｂは、図８（ｂ）に示しすように、中央付近に長孔６ｂ１が縦板部６ｂの長さ方向に穿設された板状部材である。
【００２６】
本発明で使用するレベラー部材６において、横板部６ａと縦板部６ｂは角度をつけて連接されている。横板部６ａと縦板部６ｂがなす角度の好ましい角度については、太陽光利用パネルＰの取り付け構造や太陽光利用パネルＰの設置角度によっても異なるため、一概には言えないが、太陽光利用パネルＰを支柱部材３に対して直交する角度に取り付ける場合には、図９（ａ）に示すように、横板部６ａと縦板部６ｂがなす角度αを直角にすればよい。また、例えば支柱部材３を地面に対して垂直に立設し、太陽光利用パネルＰを地面に対し角度をつけて設置する場合には、図９（ｂ）に示すように、横板部６ａと縦板部６ｂがなす角度αを大きくすればいい。なお、横板部６ａと縦板部６ｂがなす角度αを９５〜１２０°、更に好ましくは１００〜１１５°とすれば、支柱部材３を垂直に設置した場合に太陽光利用パネルＰの角度が５〜３０°、あるいは１０〜２５°という好ましい設置角度となる。
【００２７】
図９（ａ）（ｂ）に示した例では、横板部６ａと縦板部６ｂがなす角度αが固定されていたが、本発明においてはこの角度αを可変にしてもよい。横板部６ａと縦板部６ｂがなす角度を可変にする方法は特に限定されないが、図１０に示すように、ヒンジ構造６ｃを介して横板部６ａと縦板部６ｂを蝶着する方法が例示できる。
このようなレベラー部材６を使用すれば、支柱部材３の高さを変えるだけで、太陽光利用パネルＰの設置角度を任意に設定することができる。
【００２８】
本発明によるレベラー部材６は、横板部６ａに保持金具を固着し、さらに縦板部６ｂを支柱部材３に着設して使用する。上述の通り、縦板部６ｂは支柱部材３の上で摺動可能なので、保持金具５の高さをレベラー部材６により微調整できるようになっている。また、適当な高さでレベラー部材６を支柱部材３に固着できるように構成される。レベラー部材６と支柱部材３の具体的な着設方法は、上記のような微調整及び固着が出来る限り特に限定されないが、図１に記載された実施例では、図２及び図１１に示すように、ボルト及びナット６ｄを支柱部材３の上部孔３ａとレベラー部材６の長孔６ｂ１に挿通することにより、レベラー部材６が支柱部材３上で摺動できるように構成されている。また、ボルト及びナット６ｄを緊締することにより、レベラー部材６を支柱部材３上に固着できるようになっている。
【００２９】
本発明では、上述の取り付け具１を用いて、水平状面に太陽光利用パネルＰを取り付ける。より詳しくは、図１２に示すように、基礎ブロック７の上に上記の取り付け具１を、図示しないがボルト、ナット等で固着し、この取り付け具の保持金具５で太陽光利用パネルＰの縁部を保持することにより、水平状面に太陽光利用パネルを取り付けることが出来る。
このようにすれば、太陽光利用パネルＰを適当な高さに保持できるので、太陽光利用パネルＰの下に配線等を好適に配置することができ、さらに、太陽光利用パネルが低すぎたり高すぎたりすることによる弊害を防ぐことができる。また、水平状面に不陸があったとしても、レベラー部材６を調節することにより、太陽光利用パネルＰを一定の高さに容易に保持することができる。
【００３０】
本発明で用いる基礎ブロック７は、太陽光利用パネルＰが風等により飛ばされるのを防ぐためのものであり、十分な重さが必要である。基礎ブロックの材質は十分な強度と重さが得られるものであればどのようなのでも良いが、安価で手に入れやすいという点でコンクリートが好ましい。
通常の場合、市販のコンクリートブロックを本発明における基礎ブロック７として使用できるが、風が強い場所に太陽光利用パネルＰを取り付けるような場合には、金属製の基礎ブロック７を用いたり、通常のコンクリートブロックを２個以上結束して用いたり、地面にアンカーにより固定したりして太陽光利用パネルＰが吹き飛ばされるのを防ぐことができる。
【００３１】
太陽光利用パネルＰを水平状面に取り付ける場合、適当な傾斜角をつけて取り付ければ、太陽光利用パネルＰに降り積もった埃を、降雨等により自動的に洗い流すことができる。但し、傾斜角が大きすぎると、風の影響を受けて飛ばされやすくなるので、当該太陽光利用パネルＰを設ける土地の降雨量や風速を考慮して、適切な傾斜角度を算出する。
降雨量や風速を考慮すれば、一般的な傾斜角度は５〜３０°、好ましくは１０〜２５°程度である。太陽光利用パネルＰをこのような傾斜状に取り付けるには、図１３に示すように、短い支柱部材３を備える前側用取り付け具１Ｆと長い支柱部材を備える後側用取り付け具１Ｒを用いて太陽光利用パネルを保持する構造とすればよい。
【００３２】
図１３に示された太陽光利用パネルＰの取り付け構造において、取り付け具１は基礎ブロック７の上に直接固着されている。このような構造の場合、支柱部材３は地面に対して、ほぼ垂直に立設されるため、好適に太陽光利用パネルを取り付けるには、例えば図９（ｂ）に記載されているような横板部６ａと縦板部６ｂが直角よりも大きな角度で連結されているレベラー部材６や、図１０に示されるような横板部６ａと縦板部６ｂがなす角度を自由に変更できるレベラー部材６を用いる等の方法により、支柱部材３に対して傾斜状に太陽光利用パネルＰを保持する必要が生じる。
【００３３】
太陽光利用パネルＰを傾斜状に取り付ける別の方法としては、図１４、図１５に示すように、基礎ブロック７と取り付け具１の間に傾斜ブロック８を設ける方法が例示できる。このような構造だと、太陽光利用パネルＰを支柱部材３に対して直角に設けることができ、その分、取り付け構造が安定し易く、強い構造体を得ることができる。また、傾斜ブロック８の分だけ重量が増すため、風などの外力に対する安定性が増す。
なお、図９（ｂ）や図１０に記載されているようなレベラー部材６と、図１５に記載されているような傾斜ブロック８の両方を併用することも可能である。この場合、太陽光利用パネルＰの傾斜角の自由度が大きく向上する。
【産業上の利用可能性】
【００３４】
上記したとおり、本発明の太陽光利用パネルの取り付け具及び取り付け構造は、部品点数が少なく安価で、設置箇所が不陸である場合でも容易に施工できるとともに、太陽光利用パネルの設置高さや取り付け角度を調節しやすいので該パネルを発電効率の高い傾斜角度で取り付けできるとともに、埃等が雨により自動的に洗い流されるので高い発電効率を維持し、更に、雨や風の影響を受けにくいので、極めて有用性の高いものである。
【符号の説明】
【００３５】
１  取り付け具
１Ｆ  前側用取り付け具
１Ｒ  後側用取り付け具
２  固定部材
２ａ  本体
２ａ１  下部板
２ａ２  ビス穴
２ａ３  側板
２ａ４  摺動板
２ａ５  仮置き板
２ｂ  前後板
２ｃ  接着手段
３  支柱部材
３ａ  上部孔
３ｂ  下部孔
４  調節部材
４ａ  上部材
４ａ１  ビス孔
４ａ２  ネジ孔
４ｂ  下部材
４ｃ  ネジ
５  保持金具
５ａ  押圧部材
５ｂ  厚み調整部材
５ｃ  取り付け棒
６  レベラー部材
６ａ  横板部
６ａ１  取り付け孔
６ｂ  縦板部
６ｂ１  長孔
６ｃ  ヒンジ構造
６ｄ  ボルト及びナット
７  基礎ブロック
８  傾斜ブロック
１０  取り付け構造
Ｐ  太陽光利用パネル
Ｐ１  接続用の突起
【図１】
2016014244.tif 000003
【図２】
2016014244.tif 000004
【図３】
2016014244.tif 000005
【図４】
2016014244.tif 000006
【図５】
2016014244.tif 000007
【図６】
2016014244.tif 000008
【図７】
2016014244.tif 000009
【図８】
2016014244.tif 000010
【図９】
2016014244.tif 000011
【図１０】
2016014244.tif 000012
【図１１】
2016014244.tif 000013
【図１２】
2016014244.tif 000014
【図１３】
2016014244.tif 000015
【図１４】
2016014244.tif 000016
【図１５】
2016014244.tif 000017